(57)【要約】【課題】対象物の状況表示装置にレイアウト画面を表示させるとコストがかかる。【解決手段】ファイル読込部１４で読込まれた既存の描画ソフトウエアで作成されたレイアウト情報ファイルから、ファイルパース部１６で座席などを示す図形である描画オブジェクトを特定し、リンク設定部で描画オブジェクトと、座席など現実のオブジェクトとの関連付けを行う。状況が変化した際、センサＩＤ番号などがインタフェイス部２４で取得され、オブジェクト特定部２６にて、変化した現実のオブジェクトに対応する描画オブジェクトが特定され、描画処理部２８にてレイアウト情報ファイルの書き換えが行われ、表示ファイル送出部３４を経て表示される。【選択図】図２
2005301919.tif 000002
【特許請求の範囲】
【請求項１】
対象物の状況変化を検出するために必要な設定を行うための設定機能ブロックと、対象物の状況が変化したとき、その変化を確認する確認機能ブロックとを備え、
前記設定機能ブロックは、
既存の描画ソフトウエアで作成されたレイアウト情報ファイルを読込むファイル読込部と、
読込んだレイアウト情報ファイルに含まれ、前記対象物に対応し、前記対象物の状況変化によってその状況が変化する現実のオブジェクトを表象する描画オブジェクトを特定するファイルパース部と、
特定した描画オブジェクトと現実のオブジェクトの対応関係をユーザに指定させるリンク設定部と、
指定された対応関係を記録するリンク記憶部とを備え、
前記確認機能ブロックは、
現実のオブジェクトの状況が変化したとき、その変化の情報を取得するインタフェイス部と、
前記リンク記憶部に記録された対応関係を参照し、状況が変化した現実のオブジェクトに対応する描画オブジェクトを特定するオブジェクト特定部と、
特定された描画オブジェクトの表示状態を変更する描画処理部と、
を備えることを特徴とする対象物の状況表示装置。
【請求項２】
請求項１に記載の装置において、前記描画処理部は、前記レイアウト情報ファイルを直接書き換えることによって、特定された描画オブジェクトの表示状態を変更することを特徴とする対象物の状況表示装置。
【請求項３】
請求項２に記載の装置において、
前記描画処理部は、前記レイアウト情報ファイルを直接書き換えた後、そのファイルを既存の表示用プログラムにて表示可能なファイル形式へ変換し、
本装置はさらに、前記描画処理部で変換されたファイルを外部へ送出する表示ファイル送出部を備えることを特徴とする対象物の状況表示装置。
【請求項４】
請求項１から３のいずれかに記載の装置において、前記リンク設定部は、現実のオブジェクトの状態を検出するセンサと描画オブジェクトとの対応関係をユーザに指定させることを特徴とする対象物の状況表示装置。
【請求項５】
請求項１から３のいずれかに記載の装置において、前記リンク設定部は前記対応関係を指定するためにユーザが使用した、前記現実のオブジェクトを表すキーを、対応する描画オブジェクトに関連づけて表示することを特徴とする対象物の状況表示装置。
【請求項６】
請求項１から５のいずれかに記載の装置において、前記描画処理部は、前記オブジェクト特定部にて特定された描画オブジェクトに、その描画オブジェクトに対応する現実のオブジェクトに対応して与えられた対象物の属性が対応する形で表示されるよう前記描画オブジェクトの表示状態を変更することを特徴とする対象物の状況表示装置。
【請求項７】
請求項１から６のいずれかに記載の装置において、
前記設定機能ブロックは、
前記対象物の名称と識別情報の対応関係をユーザに指定させる対象物情報設定部と、
指定された対応関係を記録する対象物情報記憶部とをさらに備え、
前記オブジェクト特定部は、現実のオブジェクトの状況が変化したとき、そのオブジェクトに対応する描画オブジェクトを特定するとともに、前記現実のオブジェクトの変化の原因となった対象物の識別情報を前記対象物情報記憶部へ問い合わせ、その識別情報に対応する名称を特定し、
前記描画処理部は、前記オブジェクト特定部にて特定された描画オブジェクトに、前記オブジェクト特定部にて特定された名称が対応する形で表示されるよう前記描画オブジェクトの表示状態を変更することを特徴とする対象物の状況表示装置。
【請求項８】
請求項１から７のいずれかに記載の装置において、前記確認機能ブロックは、前記対象物の属性をもとにレイアウト情報ファイルから描画オブジェクト検索を行う検索部をさらに備えることを特徴とする対象物の状況表示装置。
【請求項９】
人員の在席状況を検出するために必要な設定を行うための設定機能ブロックと、在席状況が変化したとき、その変化を確認する確認機能ブロックとを備え、
前記設定機能ブロックは、
既存の描画ソフトウエアで作成された座席のレイアウト情報ファイルを読込むファイル読込部と、
読込んだレイアウト情報ファイルから座席を表象する描画オブジェクトを特定するファイルパース部と、
特定した描画オブジェクトと座席の対応関係をユーザに指定させるリンク設定部と、
指定された対応関係を記録するリンク記憶部とを備え、
前記確認機能ブロックは、
在席状況が変化したとき、その変化の情報を取得するインタフェイス部と、
記憶部に記録された対応関係を参照し、在席状況が変化した座席に対応する描画オブジェクトを特定するオブジェクト特定部と、
特定された描画オブジェクトの表示状態を変更する描画処理部と、
を備えることを特徴とする在席状況表示装置。
【発明の詳細な説明】
【技術分野】
【０００１】
この発明は、対象物の状況表示装置に関する。この発明はとくに、ネットワークに接続された端末に、所定の場所における確認したい対象物の状況を表示させる、対象物の状況表示装置に関する。
【背景技術】
【０００２】
ネットワークの普及により、実際に出向いたり電話で問い合わせたりせずとも、遠隔地の状況を手軽かつリアルタイムに知ることが可能になってきた。なかでもオフィスにおける社員の在、不在や行き先を通知、表示するシステムは、建物外部にいる顧客や関係者のみならず、内部にいる受付や電話交換業務などにもニーズが広がっている。
【０００３】
従来の在席状況表示装置は、ネットワークを介して確認要求をされた人物について、あらかじめ登録されたデータベースをもとに、サーバがその人の座席付近に設置された端末やセンサを特定し、それらの機器の状態から在席状況を判断し、要求を出したクライアントに通知または表示をしている（例えば、特許文献１、特許文献２参照。）。
【特許文献１】特開２００３−４８６３号公報  （第１項、第４図）
【特許文献２】特開２００２−３７４３５４号公報  （第１項、第２図）
【発明の開示】
【発明が解決しようとする課題】
【０００４】
しかしながら、確認要求をされた人物のみの在席状況を送信するのは、同じオフィスの別の人物を確認し直したい場合など、再度確認要求を出さなければならず、効率が悪い。また、出入りの多いオフィスなどでは昨今、個人が特定の座席を持たないフリースペースとしている場合もあり、文字列などによる在席状況表示では、確認要求をされた人物のオフィス内での居場所がわかりにくい。
【０００５】
これらのことから、オフィス全体の座席レイアウト図面とそれぞれの座席の在席状況を一度に表示すれば、一見してオフィス内部の状況を把握することができるが、状況表示システムにグラフィック機能を組み込むことにより、構築に際する時間的、金銭的コストが増大する。さらに、このようなシステム構築は外注するのが一般的であり、オフィス内で配置換えを行うたびに、レイアウト図面の修正を依頼せねばならず、効率が悪い。
【０００６】
この発明はそうした状況に鑑みてなされたものであり、その目的は、一度に複数の席の在席状況を確認したり、人物が現在着席している場所をわかり易く表示したりするのに有効な、座席レイアウト画面を備えた状況表示を、容易に実現する技術を提供することにある。本発明の他の目的は、座席の配置換えや人の移動に容易に対応できる状況表示技術を提供することにある。本発明の他の目的は、店舗や倉庫などにおける商品の位置や在庫の有無、博物館や美術館における出展物の展示場所、図書館における書籍の有無や所蔵場所を確認するなど、在席確認以外での使用も可能な汎用性のある状況表示技術を提供することにある。
【課題を解決するための手段】
【０００７】
本発明のある態様は、状況表示装置に関する。この状況表示装置は、対象物の状況変化を検出するために必要な設定を行うための設定機能ブロックと、対象物の状況が変化したとき、その変化を確認する確認機能ブロックとを備え、前記設定機能ブロックは、既存の描画ソフトウエアで作成されたレイアウト情報ファイルを読込むファイル読込部と、読込んだレイアウト情報ファイルに含まれ、前記対象物に対応し、前記対象物の状況変化によってその状況が変化する現実のオブジェクトを表象する描画オブジェクトを特定するファイルパース部と、特定した描画オブジェクトと現実のオブジェクトの対応関係をユーザに指定させるリンク設定部と、指定された対応関係を記録するリンク記憶部とを備え、前記確認機能ブロックは、現実のオブジェクトの状況が変化したとき、その変化の情報を取得するインタフェイス部と、前記リンク記憶部に記録された対応関係を参照し、状況が変化した現実のオブジェクトに対応する描画オブジェクトを特定するオブジェクト特定部と、特定された描画オブジェクトの表示状態を変更する描画処理部とを備える形にて構成されている。
【０００８】
本発明の別の態様は、在席状況表示装置に関する。この在席状況表示装置は、人員の在席状況を検出するために必要な設定を行うための設定機能ブロックと、在席状況が変化したとき、その変化を確認する確認機能ブロックとを備え、前記設定機能ブロックは、既存の描画ソフトウエアで作成された座席のレイアウト情報ファイルを読込むファイル読込部と、読込んだレイアウト情報ファイルから座席を表象する描画オブジェクトを特定するファイルパース部と、特定した描画オブジェクトと座席の対応関係をユーザに指定させるリンク設定部と、指定された対応関係を記録するリンク記憶部とを備え、前記確認機能ブロックは、在席状況が変化したとき、その変化の情報を取得するインタフェイス部と、記憶部に記録された対応関係を参照し、在席状況が変化した座席に対応する描画オブジェクトを特定するオブジェクト特定部と、特定された描画オブジェクトの表示状態を変更する描画処理部とを備える形で構成される。
【０００９】
なお、以上の構成要素の任意の組合せ、本発明の表現を方法、システム、記録媒体、コンピュータプログラムなどの間で変換したものもまた、本発明の態様として有効である。
【発明の効果】
【００１０】
本発明によれば、レイアウトの変更に容易に対応でき、在席確認、在庫管理など幅広く利用できるレイアウト表示を伴う状況表示装置が実現される。
【発明を実施するための最良の形態】
【００１１】
実施の形態の概要
座席レイアウト画面を表示させることのできる在席状況表示装置を導入する場合、そのシステム構築にレイアウト画面の作成が組み込まれていると、レイアウト変更がしづらい。また、在庫管理や博物館の出展物管理、図書館の書籍管理などは現在、バーコードやＩＣタグを利用して行われていることが多く、その技術動向を利用して、それらの物品管理にも対応できる汎用性のある在席状況表示装置であれば、コスト的メリットが大きい。実施の形態はこうした観点から、ユーザが作成したレイアウト情報ファイルを利用し、人員や商品などの移動を検知した場合にレイアウト情報ファイルに直接書き込みそれを表示する。より具体的には以下の技術に関する。
【００１２】
１．システム導入時やレイアウト変更時における設定を行う機能ブロックにおいては、ファイル読込部、ファイルパース部、リンク設定部を設ける。ファイル読込部は、既存の描画ソフトウエアで作成されたレイアウト情報ファイルを読込む。ファイルパース部は、読込んだレイアウト情報ファイルに含まれ、座席や収納棚など（これを「現実のオブジェクト」とよぶ）を表す図形（これを「描画オブジェクト」とよぶ）を特定する。リンク設定部は、特定した描画オブジェクトと現実のオブジェクトの対応関係をユーザに指定させる。次に、実際に状況を表示させる機能ブロックにおいては、インタフェイス部、オブジェクト特定部、描画処理部を設ける。インタフェイス部は、人員や商品など状況表示装置で確認する対象となるもの（これを「対象物」とよぶ）の変化の情報を取得する。オブジェクト特定部は、設定された現実のオブジェクトと描画オブジェクトとの対応関係を参照し、状況が変化した現実のオブジェクトに対応する描画オブジェクトを特定する。描画処理部は特定された描画オブジェクトの表示状態を変更し、誰がどこに在席しているか、などが一見してわかるように表示する。すなわち、たとえば人が在席しているかどうかについて、「人」という対象物の状況を、その人が座る「座席」という現実のオブジェクトの変化で把握し、その変化を描画オブジェクトの状態を変化させることによって示す（実施の形態１、２）。
【００１３】
２．描画処理部は、特定された描画オブジェクトの表示状態を変更する際、レイアウト情報ファイルを直接書き換える（実施の形態１、２）。
【００１４】
３．さらに表示ファイル送出部を設ける。描画処理部は、書き換えたレイアウト情報ファイルを、さらに既存の表示用プログラムにて表示可能なファイル形式へ変換し、その後、表示ファイル送出部によってそのファイルを外部へ送出する（実施の形態１、２）。
【００１５】
４．リンク設定部はさらに、現実のオブジェクトの状態を検出するセンサと描画オブジェクトとの対応関係をユーザに指定させる（実施の形態１、２）。
【００１６】
５．さらにリンク設定部は、現実のオブジェクトと描画オブジェクトとの対応関係を指定するためにユーザが使用した、座席や収納棚の名前などのキーを、レイアウト画面中、対応する描画オブジェクト内部などに表示する（実施の形態１、２）。
【００１７】
６．描画処理部は、現実のオブジェクトに対応して与えられた、人名、品名、識別番号など対象物の属性が対応する形で表示されるように、描画オブジェクトの表示状態を変更する（実施の形態１、２）。
【００１８】
７．設定を行う機能ブロックにおいて、対象物情報設定部をさらに設ける。対象物情報設定部は人員や商品など対象物の名称とそれらを識別する情報との対応関係をユーザに指定させる。このときオブジェクト特定部は、対象物が移動したときなど現実のオブジェクトの状況が変化したとき、そのオブジェクトに対応する描画オブジェクトを特定するとともに、その対象物の識別情報から、対象物の名称を特定する。さらに描画処理部は、オブジェクト特定部にて特定された描画オブジェクトに、これもオブジェクト特定部にて特定された対象物の名称が対応する形で表示されるよう描画オブジェクトの表示状態を変更する（実施の形態２）。
【００１９】
実施の形態１．
本実施の形態は、オフィスにおいてそれぞれの人員が着席する座席が決まっている場合に、在席状況を表示するための装置に関する。応用形として、寄り集まった複数の座席のそれぞれに人員が着席する場合は、各人員が座席の集合体のどこに着席したかを詳細に表示する必要がある場合と、必要のない場合のどちらにも対応可能である。例えば複数の座席に１台の電話がある会社での電話交換業務などは後者であり、最寄の電話がどれかがわかれば具体的な着席位置を知る必要はない。
【００２０】
図１は、実施の形態に係る状況表示装置１００を含む状況表示システム２００の全体構成を示す。状況表示装置１００は、ネットワークに接続されたサーバ１２０と、サーバ１２０に接続された座席端末１２２とを含み、座席端末１２２はそれぞれの座席に設置されたセンサと接続されている。ここで座席端末１２２とはＰＣ(Ｐｅｒｓｏｎａｌ  Ｃｏｍｐｕｔｅｒ)など、センサ１１０からの出力情報をサーバ１２０に送信することのできる任意のハードウエアである。またセンサとは、赤外線センサなどの他に、オン／オフを切り替えるスイッチ、デジタルカメラ、ＩＣカードリーダ、バーコードリーダなど人員の動きを自動または手動で検知し、信号を送信する機器でよく、さらにＰＣに接続されたマウス、ＰＣ自体などでもよい。
【００２１】
サーバは、在席状況を表示するための在席確認端末１０２とも接続されている。在席確認端末１０２は、ルータ１０６、インターネット１０４を介し接続されていてもよいし、ＬＡＮ（Ｌｏｃａｌ  Ａｒｅａ  Ｎｅｔｗｏｒｋ）など任意のネットワークを介して（図示せず）サーバに接続されていてもよい。在席確認端末１０２は、ＰＣ、ＰＤＡ（Ｐｅｒｓｏｎａｌ  Ｄｉｇｉｔａｌ  Ａｓｓｉｓｔａｎｔ）、インターネット１０４へ接続可能な携帯電話、その他任意のハードウエアである。
【００２２】
図２は、本実施の形態に係る状況表示装置１００の構成を示す。この構成は、ハードウエア的には、任意のコンピュータのＣＰＵ、メモリ、その他のＬＳＩで実現でき、ソフトウエア的には既存の描画ソフトウエアによって作成されたファイルの読込み、書込み機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２３】
この装置は、設定機能ブロック１０、在席確認機能ブロック１２を含む。設定機能ブロック１０は、新規にこの装置の運用を始めるとき、座席のレイアウトを変更したとき、席替えをしたときなどに機能する。在席確認機能ブロック１２は、状況を表示したい時は常に動作可能であり、主に人員の在席状況が変化したときに機能する。
【００２４】
設定機能ブロック１０は、ファイル読込部１４、ファイルパース部１６、リンク設定部１８、リンク記憶部２０を含む。
【００２５】
既存の描画ソフトウエアによって作成、保存された座席のレイアウト図面の電子ファイル（以下、これを「座席レイアウト情報ファイル」とよぶ）は、ファイル読込部１４によって読込まれ、レイアウト記憶部３２に格納される。このレイアウト情報ファイルには、プリンタ、植木、パーティションなど、座席以外の物が含まれていてよい。
【００２６】
読込まれた座席レイアウト情報ファイルは、ファイルパース部１６においてパースされ、座席レイアウト情報ファイルに含まれる図形が抽出される。ここで抽出される図形は、例えば矩形の物、輪郭線が閉じている物、塗りつぶしの対象となり得る物など、座席を表す図形が有する特徴を考慮し指定する。従って、座席が円形や三角形であっても抽出対象とすることができる。ファイルパース部１６ではさらに、抽出した図形の中から在席状況を確認したい座席を表す図形、すなわち描画オブジェクトを、設定者が特定する。
【００２７】
リンク設定部１８ではユーザが、描画オブジェクトのそれぞれについて現実の座席と対応付け、さらにそこに着席する人物の名前や社員番号などとも対応付けるように設定を行い、データベース（以下、描画オブジェクト情報とよぶ）としてリンク記憶部２０保存する。
【００２８】
在席確認機能ブロック１２は、インタフェイス部２４、オブジェクト特定部２６、描画処理部２８、検索部３０を含む。
【００２９】
インタフェイス部２４は、センサ１１０が人員の着席、離席を検知したときに送信する出力信号を取得する。ここでインタフェイス部２４は、図１における座席端末１２２が有する機能としている。図２ではインタフェイス部２４以外はサーバ１２０に含まれる機能であるが、あえて分けずに描いている。また、在席状況表示装置としては、サーバのみの構成でもよく、インタフェイス部２４の機能をサーバに含ませてもよい。
【００３０】
センサ１１０の出力信号は例えば検出信号、センサＩＤ番号などであるが、センサ１１０と座席端末１２２が１対１で接続されている場合は、センサ１１０は着席、離席の検出信号のみを出力し、インタフェイス部２４にてセンサＩＤの情報を付加してもよい。さらにインタフェイス部２４は、その機能を含む座席端末１２２において、着席、離席した人員の出退勤情報などを入力させ、それをセンサ１１０の出力信号に付加してもよい。この情報は、センサの設置台数や機能などを考慮した任意の組み合わせでよい。例えば隣接した複数の座席に１台のセンサを設置する場合などは、複数の座席のどの位置に着席するかの情報が含まれていれば、センサの台数が少なくても、詳細な着席状況を表示することが可能である。このような、インタフェイス部２４がセンサ１１０の出力信号に付加する、出退勤情報や着席位置など人員の現在の状況を示す情報を、以下まとめて「状況データ」とよぶ。
【００３１】
オブジェクト特定部２６は、センサ１１０の出力信号や、状況データをインタフェイス部２４より受け取り、センサＩＤ番号などからリンク記憶部２０に問い合わせを行うことにより、その座席を表す描画オブジェクトを特定する。
【００３２】
描画処理部２８は、特定された描画オブジェクト領域内部に人物の名前を表示する、領域の塗りつぶし色を変化させるなど在席状況の変化がわかるようにして、レイアウト記憶部３２に格納された座席レイアウト情報ファイルを書き換え、レイアウト記憶部３２に再度保存する。保存された新たな座席レイアウト情報ファイルは、例えばＷｅｂブラウザなどによっても表示可能なＨＴＭＬ形式などへ変換、保存され、表示ファイル送出部３４より在席確認端末１０２へ送出される。描画処理部２８での保存は、ＨＴＭＬ形式のほか、ＪＰＥＧ、ＧＩＦ、ＰＩＣＴなど、既存の表示用プログラムで閲覧可能なグラフィック保存形式でよい。在席確認端末１０２では、確認したいときのみ表示ファイルをロードしてもよいし、ＪＡＶＡスクリプト（ＪＡＶＡは登録商標）などを用い一定時間で自動的に更新される座席レイアウトを常時表示させておいてもよい。
【００３３】
検索部３０は、サーバ１２０に接続可能な任意の端末から、人名、社員番号などの属性をもとに着席場所の検索を行う。これらの検索キーには、描画オブジェクト情報の有する人員の属性を使用でき、その関連付けによって、レイアウト情報ファイルの中から描画オブジェクトを特定できる。特定された描画オブジェクトの内部パラメータをもとに、レイアウト記憶部３２より該当する座席レイアウト情報ファイルを読出し、表示することにより、検索が完了する。例えば人員や社員番号などにより検索を行い、複数あるフロアの座席レイアウト情報ファイルより描画オブジェクトを特定することで、どのフロアのどの座席であるかが表示される。
【００３４】
図３はリンク記憶部２０において記憶される、描画オブジェクト情報の構成例３６を示しており、描画オブジェクト名欄３６ａ、座席名欄３６ｂ、センサＩＤ番号欄３６ｃ、人名欄３６ｄ、社員番号欄３６ｅが設けられている。描画オブジェクト名欄３６ａは、既存の描画ソフトウエアでユーザが作成した座席レイアウト情報ファイル中、個々の描画オブジェクトを示す内部パラメータ（以下、「描画オブジェクト名」とよぶ）であり、描画ソフトウエアによって割り当てられている。座席名欄３６ｂは、リンク設定部１８にて、ユーザが各描画オブジェクトと現実の座席を結びつけるために用いたキーであり、言わば座席の名前である。センサＩＤ番号欄３６ｃ、人名欄３６ｄ、社員番号欄３６ｅも、リンク設定部１８にてユーザが設定を行い、それぞれ、当該座席に設置されたセンサの識別番号、そこに着席する人員の名前、その人員の社員番号である。
【００３５】
描画オブジェクト情報は、１つの描画オブジェクトに対して、人名欄３６ｄ、社員番号欄３６ｅなどを複数割り当ててもよい。例えば、現実には２つの座席を１つの描画オブジェクトとして、１台のセンサを設置する場合は、それらの座席に着席する２人の人物の名前と社員番号を人名欄３６ｄ、社員番号欄３６ｅに設定してもよい。また、センサの機能、在席状況表示画面において表示したい属性などによって、センサＩＤ番号、人名、社員番号は任意のパラメータに置き換えてよい。複数の種類のセンサを使用する場合や、在席状況の表示や検索部３０における検索などにおいて使用できる属性を増やしたい場合は、描画オブジェクト情報の欄を増やしてもよい。
【００３６】
図４はファイルパース部１６において、座席レイアウト情報ファイルより描画オブジェクトを特定する流れを示す図である。この作業はサーバ１２０上で行うが、それとネットワーク接続された任意のＰＣにて行うこともできる（以下、それらを一括して「管理コンソール」とよぶ）。まずファイル読込部１４にて読込まれた座席レイアウト情報ファイルより、座席レイアウト画面を表示する（Ｓ１０）。次に座席レイアウト情報ファイルのパースを行い、矩形、輪郭線が閉じた図形、塗りつぶし可能な図形など、所定の規則に従い図形を抽出する（Ｓ１２）。抽出された図形はレイアウト画面にて強調表示され（Ｓ１６）、登録する座席を表す図形であるかどうかを設定者に質問する。設定者が、登録する座席を表す図形とした場合は（Ｓ１８のＹ）、座席レイアウト情報ファイルより当該図形を表す内部パラメータを読出し、リンク記憶部２０に格納された描画オブジェクト情報のうち、描画オブジェクト名欄３６ａに保存する（Ｓ２０）。当該図形が、登録する座席を表す図形でない場合は（Ｓ１８のＮ）、次の図形を抽出し設定者に確認を促す。これらの流れを、座席レイアウト情報ファイルに未確認の図形がなくなるまで（Ｓ１４のＮ）繰り返す。
【００３７】
この例では、図形の抽出を１つ行うたびに、対話形式でユーザへ登録確認を行っているが、ファイルパース部１６は、一度に全ての図形を抽出し、それらの内部パラメータを一旦メモリなどへ保存した後、登録確認を順次行ってもよい。
【００３８】
図５は、リンク設定部１８において、描画オブジェクトと現実の座席との関連づけを行い、描画オブジェクト情報を作成する流れを示す図である。図４と同様、この作業も管理コンソールにて行う。まず、座席レイアウト画面を表示する（Ｓ３０）。ここでは、図形のうちファイルパース部１６にて登録対象として特定された全ての描画オブジェクトを強調表示してもよいし、描画オブジェクト以外の図形に斜線を引くなどしてもよい。次に、１つの描画オブジェクトをユーザに選択させる（Ｓ３２）。選択方法として、カーソルを描画オブジェクト領域内へ移動させると、当該描画オブジェクトが強調表示され、そこでクリックすることにより選択が完了するようにしてもよい。またペン入力機器などを利用してもよい。
【００３９】
次に、選択された描画オブジェクトをレイアウト画面上で強調表示し（Ｓ３４）、座席の登録を行うためのサブ画面を表示する（Ｓ３６）。ここで設定者は手入力にて当該描画オブジェクトが表している現実の座席の名称、そこに設置しているセンサＩＤ番号を入力する（Ｓ３８）。設定者が入力を終えてサブ画面を閉じると、表示されている座席レイアウトの当該描画オブジェクト内部または近傍に、入力した座席名が書き込まれる（Ｓ４０）。
【００４０】
次に、当該描画オブジェクトが表す座席に着席する人員の情報を登録するためのサブ画面を表示する（Ｓ４２）。これも設定者が手入力にて人名、社員番号などを入力する（Ｓ４４）。入力されたパラメータは全て、リンク記憶部２０の描画オブジェクト情報内に書き込まれる（図示せず）。
【００４１】
以上の動作を、全ての描画オブジェクトに対して行うことにより、リンク記憶部２０に格納する描画オブジェクト情報のデータベースが完成する。なお、リンク設定部１８は、全ての描画オブジェクトに対して座席名が書き込まれた座席レイアウト情報ファイルを、中間ファイルとしてリンク記憶部２０に保存してもよい。そして、座席の配置やセンサは移動しないが、席替えや異動など人員の情報にのみ変更があった場合は、この中間ファイルを読出すことにより、ファイルパース部１６の作業、リンク設定部１８の作業の一部、すなわちＳ３６、Ｓ３８、Ｓ４０のステップを省略できるようにしてもよい。このとき、Ｓ３０で表示される座席レイアウト画面は、座席名が書き込まれたものでよい。さらにリンク設定部１８は、人員情報の変更が一部のみであった場合に、設定者に変更したい座席のみを選択させ、描画オブジェクト情報の当該座席の人名、社員番号のみを書き換えるようにしてもよい。
【００４２】
また、ファイルパース部１６にて図形が１つ抽出されるたびに、人員情報の登録までを一気に行うように、ファイルパース部１６およびリンク設定部１８の動作、すなわち図４および図５に示された流れをつなげてもよい。一方、リンク設定部１８において、図５に示された流れの中で、描画オブジェクト領域内部または近傍に座席名を書き込んだ（Ｓ４０）あと、また別の描画オブジェクトの座席名、センサＩＤ番号の設定までを行っていき、全ての描画オブジェクトの座席名、センサＩＤ番号が設定された後に、それぞれの座席に対して人員情報の登録を行ってもよい。
【００４３】
図６は、ファイルパース部１６において描画オブジェクトを特定する際の、管理コンソール画面の例を示している。ファイル名入力窓４０にてユーザが指定した「ｅｉｇｙｏｕ３．ｐｐｔ」なる座席レイアウト情報ファイルは、ファイル読込部１４がレイアウト記憶部３２に格納したファイルの中から読出され、レイアウト表示部４２へ表示されている。この表示では、パースを行い直近に抽出された図形４４が、強調表示されている。設定者はそれが登録する座席を表す図形かどうかを判断し、選択ボタン４６のいずれかをクリックすることにより選択を行う。
【００４４】
図７は、リンク設定部１８において、各描画オブジェクトに座席名およびセンサＩＤ番号を設定する際の、管理コンソール画面の例を示している。このレイアウト表示上、設定済みの描画オブジェクト５０は「デスクＡ」、「デスクＢ」、「デスクＣ」といった座席名がすでに書き込まれている。また、描画オブジェクト以外の、プリンタ台５４やキャビネット５５などは設定対象外として斜線が引かれている。さらに、今現在設定を行う描画オブジェクト５２が強調表示され、座席名、センサＩＤ番号を入力するためのサブ画面５６が表示されている。設定者はそれぞれ手入力にて入力を行い、設定ボタン５８をクリックすることにより設定を行う。リンク設定部１８において、過去に用いた座席名やセンサＩＤ番号を、それぞれリストとしてリンク記憶部２０に保存しておき、入力時にそれらを候補として参照するようにしてもよい。また、同じ座席レイアウト情報ファイル内で、異なる席に同じ座席名やセンサＩＤ番号が入力された場合は、一旦別の名前もしくは番号を設定させて、間違っている方を修正させてもよいし、設定ボタンがクリックされた時点で、警告とともにもう一方の座席も設定できるサブ画面を表示し、両方の座席の入力をし直すようにしてもよい。
【００４５】
図８は、リンク設定部１８において、各描画オブジェクトに対応する座席に着席する人員の名前、社員番号を登録する際の、管理コンソール画面の例を示している。このレイアウト表示では、現在登録を行う描画オブジェクト６０の領域内に、先に設定された座席の名前「デスクＤ」が書き込まれている。そして、着席する人員の情報を登録するためのサブ画面６２が表示されている。このサブ画面６２には、これも先に設定された、この座席に設置されたセンサのＩＤ番号６４が念のため表示されている。設定者は、人員の名前と社員番号を手入力したのち、登録ボタン６６をクリックすることにより登録を行う。この画面において、ひとつの描画オブジェクトが複数の座席の集合体であった場合は、それらに着席する全ての人の情報を入力できるよう、一人目の登録が完了したら次の登録サブ画面を表示させてもよい。この場合、キャンセルボタンをクリックした時点で全員の登録が終了したとみなしてもよいし、登録を続けるかを選択する別のサブ画面を表示させてもよい。
【００４６】
図９は、在席確認機能ブロック１２中、インタフェイス部２４の機能を有する座席端末１２２において、人員が着席した場合などに行われる動作の流れを示している。例えば人員が着席した場合、それがセンサによって検知されると、センサに接続された座席端末１２２はセンサが出力する人物認識信号を受信する（Ｓ５０）。例えばセンサが赤外線センサやデジタルカメラならその検知は自動的に行われ、スイッチやＰＣの状態を利用する場合などは、その人員自身がスイッチを切り替えたり、ＰＣを起動させたりといった人為的な動作によって行われる。
【００４７】
次に、座席端末１２２の画面には、着席した人員に対して状況設定を入力させるための画面が表示される（Ｓ５２）。ここでは例えば、「出社」、「退社」といったカテゴリ中、出社がさらに「在席」、「一時離席」、「会議室」、「出張」、「外回り」などのサブカテゴリに分かれているリストから、その人員が直後の状況を選択し入力する（Ｓ５４）。その後、センサのＩＤ番号および着席した人員が設定した状況データが、座席端末１２２からサーバ１２０へ送信される（Ｓ５６）。
【００４８】
人員は離席時にも、センサすなわちスイッチなどを切り替え、この状況設定画面を表示させることにより、「在席」以外のリストの選択が可能となる。一方、最終的な状況表示として、人員が在席しているか否かのみを表示すればよい場合は、センサとして、自動的に在、不在が検知できる赤外線センサやデジタルカメラを用い、インタフェイス部２４は状況設定画面の表示（Ｓ５２）および状況データ入力（Ｓ５４）のステップを省略し、センサＩＤ番号のみをサーバ１２０へ送信するようにしてもよい。この場合、人員に在席データの入力を行う手間をかけることなく、所望とする在席状況確認表示が実現される。
【００４９】
また、１つの描画オブジェクトが現実には複数の座席を表しており、１つのセンサを共有している場合は、その座席の集合体のどちら側に着席するのかを、例えば左側、右側といった具合でもよいし、それぞれの位置につけた番号を選択するなど、所定の規則に基づき状況データ入力時（Ｓ５４）に入力するようにしてもよい。描画処理部２８にて座席レイアウト情報ファイルの当該描画オブジェクト近傍に人物名を書き込む際に、このデータを用いて人物名テキスト位置を決定し、より詳細な着席位置を表示するようにしてもよい。
【００５０】
図１０は、インタフェイス部２４より信号を受信したとき、サーバ１２０におけるオブジェクト特定部２６、描画処理部２８にて行われる一連の動作の流れを示している。センサＩＤ番号および状況データを受信すると（Ｓ６０）、オブジェクト特定部２６はリンク記憶部２０へ問い合わせを行い、センサＩＤ番号より該当する描画オブジェクトを特定する（Ｓ６２）。
【００５１】
特定された描画オブジェクトは、Ｓ６０のステップで受信した状況データをもとに、所定の規則に基づいて表示状態の変更処理がなされ（Ｓ６４）、新たな座席レイアウト情報ファイルが作成される。例えば、出社したら名前を描画オブジェクト領域内に表示する、一時離席のときは名前が灰色になる、外出のときは描画オブジェクト領域内が青色に塗りつぶされる、などである。複数の座席が１つの描画オブジェクトに含まれており、受信した状況データに着席位置が含まれているような場合は、それに基づき描画オブジェクトの領域近傍の左右上下などに名前を書き込んでもよい。新たな座席レイアウト情報ファイルはＨＴＭＬ形式に変換され、レイアウト記憶部３２に保存される（Ｓ６６）。
【００５２】
図１１は、在席確認端末にてＷｅｂブラウザなどを用いて表示した、在席確認画面の例である。アドレス表示窓７０にはサーバ１２０中、座席レイアウト情報ファイルのＵＲＬ（Ｕｎｉｆｏｒｍ  Ｒｅｓｏｕｒｃｅ  Ｌｏｃａｔｏｒ）が表示されている。表示された座席レイアウト画面において、白色座席７２は、この座席の人物が在席していることを示しており、着席している人物の名前が白色の描画オブジェクト領域内に表示されている。塗りつぶし座席７４は、この座席の人物が出社はしているが外出していることを示しており、描画オブジェクトは人名表示とともに塗りつぶされている。
【００５３】
検索部３０によって特定の人物の検索を行う場合も同様の画面表示がなされる。この場合、該当人物の座席を表す描画オブジェクトを強調表示してもよい。
【００５４】
以上、この実施の形態の在席状況表示装置には、座席レイアウト情報ファイルをパースする機能を設けた。この機能により、座席レイアウト情報ファイルから現実のオブジェクトとなる図形を拾い出すことができる。既存の描画ソフトウエアは一般に描画が最終目的であり、他のシステムへの組込などは想定しないものであるが、本実施の形態によれば、そうした描画ソフトウエアで作成した座席レイアウト情報ファイルを利用して在席状況の表示が可能になる。描画ソフトウエアのアウトプット、すなわちここでは座席レイアウト情報ファイルは、本来、人がその描画ソフトウエアを起動して積極的に編集しないかぎり内容が変化するはずはないが、本実施の形態によれば、検知された在席状況によって画面各部の表示状態が自動的に変化する。その様子は、描画ソフトウエアの性質を知る者からすれば、いわば手品の感すらあるものであり、そのこと自体、本実施の形態の斬新な発想を示すものである。
【００５５】
既存の描画ソフトウエアを利用するメリットは大きい。まず、本実施の形態の装置を実現する際、わざわざレイアウト図作成用の描画ソフトウエアを開発する必要がない。そのため、システム構築に要する時間と費用が削減でき、結果的にシステム単価を下げることができる。また、既存の描画ソフトウエアとして広く普及しているものを選ぶことができ、その場合、本実施の形態の装置の導入前からユーザは描画ソフトウエアの操作に馴染みがあるため、導入障壁が低い。同様に、座席レイアウトに変更があっても、ユーザは操作に慣れているから、導入以降の運用面でも有利である。さらに、ユーザ自らレイアウト図面の変更ができるため、わざわざシステム構築業者に外注し直す必要がない。その結果、システム運用費が削減できるだけでなく、座席レイアウトの変更にシステムが即時対応可能となる。これらの効果により、「モバイルオフィス」とでも呼ぶべき、オフィスにおける頻繁かつ自由なレイアウト変更にも容易に対応できるようになる。
【００５６】
逆にいえば、本実施の形態は、これらの効果を達成するために既存の描画ソフトウエアを利用するものであり、そのために座席レイアウト情報ファイルをパースする処理が必要になる。パースに先立ち、描画ソフトウエアで作成されたファイルに記述されている図形のうち、現実のオブジェクトとして登録の対象とすべきものの特徴、より具体的には、図形の内部パラメータその他の属性を把握しておく必要がある。
【００５７】
なお、本実施の形態では、正確にいえば、座席レイアウト情報ファイルが変更された後、そのままの形式で表示されるのではなく、いったん形式を変換して保存された後、表示される。本実施の形態では、この保存の形式として、既存の表示用ソフトウエアで表示可能な形式を採用している。この結果、本実施の形態の実現に当たり、わざわざ専用の表示ソフトウエアを開発する必要はなく、前述の図面作成場面同様、開発期間、コスト、導入障壁、ユーザの操作性、運用上の利便性のいずれの面においても有利である。さらに、必要な通信システムが汎用的かつ最小限で済むため、運用時の通信回線や表示システムにおけるトラブルも抑制しやすく、かつ、ＪＡＶＡスクリプトなど一般的な言語で容易に機能追加が可能となる。これらに加え、座席レイアウト情報ファイルとは別に表示用ファイルを保存、表示するため、状況表示閲覧者が座席レイアウト情報ファイルを誤って書き換える懸念すら払拭できるのである。
【００５８】
実施の形態２．
本実施の形態は、例えば着席する座席が決まっていないフリースペース制を採用している広いオフィスや、入室権限を有する不特定の人物が着席するデスク貸し出しスペースなどで特に有効であるが、通常のオフィスなどでも、前述の実施の形態同様に利用できる。
【００５９】
本実施の形態では、人員は着席するときにＩＣカードやそれが搭載された電子機器、指紋などを利用して、個人認証を行う。これにより、座席の特定と同時に人物の特定を行うことができ、それらを関連付けて表示することにより、動的な着席位置の表示が可能となる。従って、本実施の形態に係る状況表示システムの全体構成は、実施の形態１の図１と同様であるが、センサ１１０は、特にＩＣカードリーダ、指紋リーダなどのリーダ機器を利用できる。
【００６０】
さらに、ＩＣカードを搭載した携帯電話や電子手帳などの電子機器を認証手段に利用し、リーダ機能および送信機能のついた充電器やホルダなどをセンサとすることもできる。これらの電子機器の特徴は、ユーザが自然な動作として、着席時にはその機器を充電器またはホルダなどに乗せ、外出時はそれを携帯するところにある。従ってその機器がセットされているか否かを、充電器やホルダなどに搭載されたセンサが検出することにより、ユーザ自身の在、不在が判断できる。在席中にその機器を使用するため、充電器などから所定の時間以上はずす場合は、充電器などに搭載された、在席であることを表明するスイッチを押すようにしたり、ＰＣ画面にて確認を促したり、充電器などと電子機器とを有線または無線で接続し、双方の距離が所定の範囲内であれば在席とみなすようにしてもよい。
【００６１】
以下、図１２から図１６までを、実施の形態１との相違点に主眼を置き説明する。
【００６２】
図１２は本実施の形態に係る状況表示装置１００の構成を示す。実施の形態１における図２と異なる点は、設定機能ブロック１０において認証情報登録部７６および、認証情報記憶部７８が追加されたところにある。また正確を期すため、センサ１１０はリーダ８０に置き換えている。
【００６３】
まず個人認証を行うための準備として、設定機能ブロック１０では認証情報登録部７６にて人名と、認証手段の情報、すなわちＩＣカード番号や指紋形状など（以下、単に「認証対象情報」とよぶ）との関連付けを設定者に登録させ、認証情報記憶部７８にて記憶する。運用時は、在席確認機能ブロック１２中、インタフェイス部２４においてリーダ８０が出力したリーダＩＤ番号と、認証対象情報を受け取り、それらに出退勤などの状況データを取得、付加してオブジェクト特定部２６へ送信する。オブジェクト特定部２６はリンク記憶部２０と認証情報記憶部７８との双方に問い合わせを行うことにより、例えばリーダＩＤ番号をもとに描画オブジェクトを特定し、認証対象情報をもとに人物名を特定する。これらの動作の結果、描画オブジェクトと人名が関連付けされ、以後、実施の形態１の図２において説明したのと同様、当該描画オブジェクトの領域内に人名を表示するなど座席レイアウト情報ファイルを書き換えることができる。
【００６４】
図１３は本実施の形態において、リンク記憶部２０にて記憶される描画オブジェクト情報の構成例８２を示している。ここでは、個々の描画オブジェクトを表す描画オブジェクト名欄８２ａ、それらに対応する座席名欄８２ｂ、その座席に設置されたリーダのＩＤ番号欄８２ｃが設けられている。本実施の形態の場合、各座席に誰が着席するかはその時々によって変化するため、人名欄など人員の属性を示す欄はない。複数の種類のリーダを使用する場合は、１つの描画オブジェクトに対し複数のリーダＩＤ番号を設定してよい。
【００６５】
図１４は、認証情報記憶部７８において記憶されるデータの構成例８４を示している。このデータは、人名欄８４ａ、社員番号欄８４ｂ、ＩＣカード番号欄８４ｃより構成されている。このとき個人認証に用いられるのは、例えば社員証、ＩＣカードなどで、社員証からは社員番号を、ＩＣカードからはＩＣカード番号を、座席のカードリーダが読取る。認証手段がさらに存在する場合や１つでよい場合は、人名以外の欄を増減させればよく、例えば指紋認証の場合は、事前に取得した指紋の画像を保存したファイル名などでもよい。なおこの場合は、保存されている指紋画像と現在取得された指紋画像との解析を行うためのソフトウエアとの連携が必要となる。
【００６６】
図１５は、在席確認機能ブロック１２中、インタフェイス部２４の機能を有する座席端末１２２において、例えば人員が着席した場合に行われる動作の流れを示している。基本的な動作は、実施の形態１の図９と同様であるが、リーダ８０は個人認証をするための機器であるため、その出力信号にはＩＣカード番号などの認証対象情報が含まれる。従って、サーバ１２０へ送信される情報は、リーダＩＤ番号、状況データの他にＩＣカード番号などの認証対象情報を含む（Ｓ７６）。
【００６７】
図１６は、インタフェイス部２４より信号を受信した時、サーバ１２０におけるオブジェクト特定部２６、描画処理部２８にて行われる一連の動作の流れを示している。ここでは、リーダＩＤ番号、ＩＣカード番号を状況データとともに受信するため（Ｓ８０）、オブジェクト特定部２６において、前者より描画オブジェクトを、後者より人物名を特定することができる（Ｓ８４）。その後は、実施の形態１と同様の処理を行い（Ｓ８６、Ｓ８８）、最終的に、着席者の名前が書き込まれた新たな座席レイアウト情報ファイルが作成される。ここで、出退勤などの状況データの表示方法として、在席確認端末１０２にて表示される座席レイアウト画面中、各着席者の名前をクリックすることにより出現するサブ画面にて詳細に表示してもよい。
【００６８】
以上、実施の形態２では、既存の描画ソフトウエアで作成した座席レイアウト情報ファイルを利用し、そのファイルを既存の表示用ソフトウエアで表示できるような形式で保存するといった点から、実施の形態１と同様の効果が得られる。さらに、本実施の形態では個人認証と在席状況の変化とを結びつけることにより、人員が着席する場所の定、不定に関わらず、実施の形態１と同様の在席表示システムを実現することができる。従って、ユーザのオフィスの形態によってシステムを構築し直す部分が減り、システム構築業者、ユーザの双方にとってコスト削減となる。また、入室権限を持つ不特定の人物の在席状況を表示できるという観点では、オフィス以外にも幅広いニーズに対応できる。一方、個人認証技術は今日、様々な認証手段が製品化され、多くのオフィスで一般的に利用されている。従って、本実施の形態の装置を導入する以前より用いてきた認証手段をそのまま利用したり、使い勝手の良い新たな個人認証システムを導入したりして、ユーザはより自然な動作でそれと意識することなく、自らの在席状況の変化を状況表示へ反映させることが可能となる。
【００６９】
以上、本発明を実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００７０】
例えば、実施の形態１および２ではオフィスの人員の在席状況を表示する装置としているが、在席を在庫、出展物の在、不在など、人員を商品、出展物など、座席を収納棚、陳列台などと置き換えることにより、同様の技術が利用できる。
【００７１】
図書館での書籍確認装置として使用する場合を例にとると、一般的に用いられているバーコード管理を利用して、描画オブジェクト名、本棚名、書籍名、バーコード情報を関連付け、描画オブジェクト情報として、図２のリンク記憶部２０に保存する。またインタフェイス部２４において貸出し、返却時にバーコード情報を取得する。検索部３０において書籍名にて検索を行えば、広い図書館のどの位置に当該書籍があるかを、レイアウト図でわかり易く示すことができる。このとき、あらかじめ既存のソフトウエアで作成するレイアウト情報ファイルを、フロア全体、本棚全体、棚の一部など巨視的、微視的に複数作成し、描画オブジェクト名をそれに対応させた階層構造にして記憶させておけば、当該書籍の、フロア全体レイアウトでの描画オブジェクト、本棚全体での描画オブジェクト、というように複数の描画オブジェクトが特定され、検索結果として全てのレイアウト画面を表示することにより、書籍の所在が容易に理解される。
【００７２】
上記変形例では、書籍のバーコード管理を利用できるため、書籍管理をする側は特別な動作をする必要なく、実施の形態１と同様の効果をもたらす書籍所在状況表示装置を実現することができる。特に、広い館内から一冊の書籍を容易に探し出せるような表示システムが、既存のソフトウエアで作成された本棚のレイアウト図面を利用して容易に実現できる。
【図面の簡単な説明】
【００７３】
【図１】実施の形態１に係る状況表示システムの全体構成を示す図である。
【図２】図１の状況表示装置の内部構成を示す図である。
【図３】実施の形態１に係る描画オブジェクト情報の構成例を示す図である。
【図４】描画オブジェクトを特定する流れを示す図である。
【図５】描画オブジェクト情報を作成する流れを示す図である。
【図６】描画オブジェクト特定時の画面の例を示す図である。
【図７】座席名およびセンサＩＤ番号を設定する際の画面の例を示す図である。
【図８】人員登録を行う際の画面の例を示す図である。
【図９】実施の形態１に係る在席状況が変化した時の座席端末における動作の流れを示す図である。
【図１０】実施の形態１に係る在席状況が変化した時のサーバにおける動作の流れを示す図である。
【図１１】在席状況表示画面の例を示す図である。
【図１２】実施の形態２に係る状況表示装置の内部構成を示す図である。
【図１３】実施の形態２に係る描画オブジェクト情報の構成例を示す図である。
【図１４】認証情報記憶部において記憶される情報の構成例を示す図である。
【図１５】実施の形態２に係る在席状況が変化した時の座席端末における動作の流れを示す図である。
【図１６】実施の形態２に係る在席状況が変化した時のサーバにおける動作の流れを示す図である。
【符号の説明】
【００７４】
１０  設定機能ブロック、  １２  在席確認機能ブロック、  １４  ファイル読込部、  １６  ファイルパース部、  １８  リンク設定部、  ２０  リンク記憶部、  ２４  インタフェイス部、  ２６  オブジェクト特定部、  ２８  描画処理部、  ３０  検索部、  ３２  レイアウト記憶部、  ３４  表示ファイル送出部、  ７６  認証情報登録部、  ７８  認証情報記憶部、  １００  状況表示装置、  １０２  在席確認端末、  １１０  センサ、  １２０  サーバ、  １２２  座席端末、  ２００  状況表示システム。
【図１】
2005301919.tif 000003
【図２】
2005301919.tif 000004
【図３】
2005301919.tif 000005
【図４】
2005301919.tif 000006
【図５】
2005301919.tif 000007
【図６】
2005301919.tif 000008
【図７】
2005301919.tif 000009
【図８】
2005301919.tif 000010
【図９】
2005301919.tif 000011
【図１０】
2005301919.tif 000012
【図１１】
2005301919.tif 000013
【図１２】
2005301919.tif 000014
【図１３】
2005301919.tif 000015
【図１４】
2005301919.tif 000016
【図１５】
2005301919.tif 000017
【図１６】
2005301919.tif 000018